Podtech/llm-jp-corpus-v4-ja_patent huggingface dataset:
(57)【要約】      （修正有）【課題】夜間の曲線道路での、進行方向と照明装置の照射方向を一致させる安価な自動車の自動照明装置を提供する。【解決手段】照明装置１と照明装置の方向制御部品３を接続部品Ａ７で取りつける。更に方向制御部品とピットマンアーム６を接続部品Ｂ５及び接続部品Ｃ１１で接ぎタイヤの動きと照明装置の方向を連動させる。【選択図】図１
2005329920.tif 000002
【特許請求の範囲】
【請求項１】
自動車の照明装置の照射方向とタイヤの方向（進行方向）を連動させる為にタイヤを取り付けるピットマンアームの動きを照明装置に伝える装置。
【発明の詳細な説明】
【技術分野】
【０００１】本発明は、自動車の照明装置に関する。
【背景技術】
【０００２】従来の照明装置は車体に固定されており、夜間の曲線道路では車体の進行方向とタイヤの進行方向にずれが生じ、進行方向の視界に不安があったがそれをセンサーや電動モーターを使いそれを解消するものがある。【０００３】
【特許文献１】    特開２００３−２１１２（Ｐ２００３−２１１２Ａ）
【発明の開示】
【発明の解決しようとする課題】
【０００４】従来の装置ではセンサーやモーターを使い構造的にも複雑になっており、コストも高くなり、破損した場合のメンテナンス（修理）も容易でない。
【０００５】本発明はこのような従来の構造が有している問題を解決しようとするものであり、低コストでメンテナンスも容易にすることを目的とするものである。
【問題を解決するための手段】
【０００６】本装置は上記の目的を達成するために、構造を機械的なものとした。
【発明の効果】
【０００７】本装置を取り付ける事で、夜間、曲線道路での走行時、タイヤの向きと照明装置の照射方向が常に同じになり、安全な運転に繋がります。特に山間地の急なカーブを走行時は自車も前方が見にくいが、対向車も前から来る自動車の発見がしにくい。本装置を装着した場合は自車の視界も改善され、対向車からも未装置車より早く発見される。
【発明の実施するための最良の形態】
【０００８】以下、本発明の実施の形態を図１〜図２に基づいて説明する。
【０００９】図においては、照明装置１と照明装置の方向制御部品３を接続部品Ａ７で取り付ける。
【００１０】照明装置の方向制御部品３は円盤状の中心に穴をあけ、接続部品Ａ７が取り付けられるようにし、円盤状の部品に図にあるように上下制御部品４を取り付ける。
【００１１】上下制御部品４は本体がパイプで中に差し込む接続部品Ｂ５の上下の動きに対し方向制御部品３に必要以上の負荷が掛からない様、コイルバネ９を入れる事で解決している。
【００１２】コイルバネ９が脱落しないように接続部品Ｂ５の先端をＴ字型とし、上下制御部品４の差し込み側にはキャップ１０を取り付ける事で対応している。
【００１３】接続部品Ｂ５は途中で折れ曲がる構造にしてあり、ピットマンアーム６と照明装置１位置の違い、上下については（図１）長さを変える、左右については（図２）接続部品Ｃ１１の位置を変える事で対応する。
【００１４】以下、上記構成の動作を説明する。自動車が走行を始めハンドルを切ればタイヤがそれに連れ動く、その時、ピットマンアーム６も同じように動きます、その動きを接続部品Ｂ５を通し、方向制御部品３に伝える。その動きを照明装置１に伝える事で照明装置１の照射方向を変えるものであります。ピットマンアーム６の動きがダイレクトに照明装置１に伝える事で、従来あったタイヤの動きと照明装置１の照射方向のずれが解消されます。
【図面の簡単な説明】
【００１５】
【図１】  本発明の実施形態を示す自動車の自動照明装置の部分断面図
【図２】  同自動車の自動照明装置の平面図
【図３】  同自動車の自動照明装置の見取り図
【記号の説明】
【００１６】      １      照明装置
２      車体の一部
３      方向制御部品
４      上下制御部品
５      接続部品Ｂ
６      ピットマンアーム
７      接続部品Ａ
８      座金（ワッシャー）
９      コイルバネ
１０      脱落防止キャップ
１１      接続部品Ｃ
【図１】
2005329920.tif 000003
【図２】
2005329920.tif 000004
【図３】
2005329920.tif 000005
(57)【要約】      （修正有）【課題】本発明は雨の日に車のドア−を開け、座席に座り、傘を閉め、ドアを閉める間に雨に濡れる。降りる時も同様雨に濡れ無いように少しでも気持ち良く車に乗り降り出きるよう発明したのが自動車用雨よけドア−傘です。【解決手段】雨よけドア−傘の本体１を自動車のドア−上部の屋根に取り付ける雨よけドア−傘開き部の取り付け部を自動車ドア−の上部に差込みスプリング４の付いた下向き留め金具を下に引きウインドウバイザー下部にひっかけるとスプリングが縮み雨よけドア−傘の開き部が固定される。雨よけドア−傘の本体の下部には磁石、吸盤、マジックテープを設け、自動車の屋根の型状に合せ磁石か吸盤かマジックテープか使い分け、自動車のドア−を開くと雨よけドア−傘が開き、自動車のドア−を閉めると雨よけドア−傘の布伸縮用骨材が傘の布をドア−傘本体に収納する。【選択図】    図  ４
2005329917.tif 000002
【特許請求の範囲】
【請求項１】
自動車ドア−の上屋根部に雨よけドア−傘  図  １お取り付け自動車用ドア−傘の開き部おドア−の上部に取り付けて固定する自動車のドア−お  開くとドア−と一諸に雨よけドア−傘の開き部が開く
【請求項２】
自動車用雨よけドア−傘の寸法は軽自動車用  普通車用  大型車用と車種に応じて使用できる  軽量で取り付け簡単  ドア−傘と自動車の設置部には  磁石  マジックテープ  吸盤と自動車の屋根の形状に合わせて使う
【請求項３】
自動車のドア−開き上部に雨よけドア−傘の開き部の留め金お差込みスプリングの付いた下向き留め金お下に引きウインドウバイザーに差し込みドア−傘の開き部お固定する
【請求項４】
傘の布に布張り用横骨材は使用しない布お収納する側Ｃ字型箱の縦壁にＵ字型金具お縦に６本から７本並べ接着剤で固定するＵ字型金具の長さは２０ｃｍで中心点から左右に１．５ｃｍずつの所に縦に穴お空ける穴の径は１．５ｍｍＵ字型金具に布伸縮用骨材お６本から７本縦穴に合せ伸縮用骨材の穴とＵ字型金具の穴と合せ心棒お差し込み固定する
【請求項５】
布伸縮用骨材はＵ字型金具の縦上から下え１−２−３−４−５−６本と並べ下の１本目の伸縮骨材お開き側押納め材に固定する傘お開いた時に一番  遠い順に下から伸縮骨材の先端お骨材に固定する布の張付けは両端口に薄いゴムバンドお縫い付け両端口お固めにする雨よけドア−傘の本体に布お取り付ける時布収納側上部内側に布お取り付ける一方の布端は開き側押納側下部に布端お取り付ける
【発明の詳細な説明】
【発明の詳細な説明】
【０００１】自動車用雨よけドア−傘は雨の日の車の乗り降りの際に雨に濡れるのお  防ぐ
【０００２】自動車用雨よけドア−傘は軽量である
【０００３】自動車用雨よけどあー傘は軽自動車  普通自動車  大型自動車用に成型されている
【０００４】自動車用雨よけドア−傘と自動車本体取り付け部にはマジックテープ  磁石  吸盤と自動車の屋根の形状に合わせ使用するの
【図面の簡単な説明】
【図１】本発明雨よけドア−傘の正面図
【図２】本発明雨よけドア−傘の取り付け箇所の図
【図３】本発明雨よけドア−傘の取り付け図
【図４】本発明雨よけドア−傘の開き図
【図５】本発明自動車のドア−お閉めたとき雨よけドア−傘が本体に納まった図
【図１】
2005329917.tif 000003
【図２】
2005329917.tif 000004
【図３】
2005329917.tif 000005
【図４】
2005329917.tif 000006
【図５】
2005329917.tif 000007
(57)【要約】【課題】  単独で車等をある目的地に移設し終った場合帰りの足代わりを確保する方法に関するものである。【解決手段】  折り畳み式の牽引台車をバイクの荷台に積んで移設をしたい車等まで向かい持ってきた折り畳み式の牽引台車を組み立て広げて乗ってきたバイクを牽引台車に乗せて移設したい車等の後ろの牽引用フックに牽引台車を連結してバイクを乗せ牽引台車を牽引する目的地に着くと牽引台車からバイクを降ろし折り畳み式の牽引台車をコンパクトに畳んでバイクの荷台に積んでバイクで元の場所に帰る事が出来る。【選択図】  図１
2005329919.tif 000002
【特許請求の範囲】
【請求項１】
牽引される牽引台車をコンパクトに折り畳み式
【発明の詳細な説明】
【発明の詳細な説明】
【技術分野】
【０００１】この発明は牽引される台車を持ち運びに関してコンパクトにした物である
【背景技術】
【０００２】  物体を移動するには、その受け皿としてその物体の大きさに合わせた台車が必要とする
【発明が解決しようする課題】
【０００３】  代行運転に於ては、２名１組で活動しているが現状で単独一人で活動するには公共の乗物を利用して行くか会社の車等で指定された場所に行かねばならない、目的地に着き車等で来ている場合は乗ってきた車等はそこに置いて依頼主の車等を運転して次の目的地へ行く、仕事完了後はもよりの公共の駅もしくはバス停を捜して帰社するか最初の車等を置いた所に戻る，非常にロスが多い
本発明はこれらの欠点を除くためなされたものである。
【課題を解決するための手段】
【０００４】  代行運転に於て、依頼があった場所にはバイクで向うバイクの荷台には折り畳み式になった牽引台車図２をのせ現地に着いたら持ってきた牽引台車を組みあげ依頼主の車等の後ろについている牽引用フックにつなぎ乗ってきた自分のバイクを積み所定の位置に設置しバンド荷締機でしっかりと固定させるあとは依頼主の車等を運転して次の目的地へバイクを乗せた牽引台車を牽引して行く
目的地に着き仕事の完了後牽引して来た牽引台車はコンパクトに折り畳みバイクの荷台に乗せて帰社出来る
【発明を実施するための最良の形態】
【０００５】  以下，本発明の実施の形態について説明する。
図面にそって説明すれば図４の様に本体ａ（１）本体ｂ（２）本体ｃ（３）連結材（４）車輪（５）の組み合わせで成り立っている，本体ａ（１）と本体ｂ（２）のみ接合するすき間を少し開けて蝶番（６）を取りつけて置くと本体ａ（１）の片方が地面についてバイクを乗せる時楽に乗せられる本体ｂ（２）と本体ｃ（３）は普通通りに蝶番（６）を取りつける本体ｃ（３）と連結材（４）はボルトナットにより取りつけ取りはずし可能にしておく又連結材（４）のボルトナットは自由自在に首ふり出来るようにボルトの長さを調整して袋ナット等を使いひねって転倒しない様にしっかり締める  車等の後ろにある牽引用フックに取りつけるボルトナットも同様に袋ナット等で締めつける．連結材（４）の使用目的は車等の連結にあたって道路の凸凹の上下動きと左右回る時に自由自在に首ふり出来るようにした物で旋回する時くの字に曲がり過ぎると牽引している車等に当たるのでブレ止め（１０）によって曲がり過ぎないように歯止めをしている．又連結材（４）はアダプターとして車種によって牽引用フックが違うのでその車種に合わせて取り替えをする。バイクを乗せる場合本体を広げて伸ばした状態で本体ａ（１）はまだスライドロック（７）をしていない時は片方は地面に着いているので容易に乗せられる．本体にバイクを乗せると４つのスライドロック（７）で本体のブレを固定、所定の位置に設置  所定の位置とはバイクを起こすスタンドをスタンド用フック（８）の位置に引っかけて固定する荷締め機用フック（９）にも図１バンド荷締め機（１２）でしっかりと締めつけ固定する．これで牽引出来る。次に本体をコンパクトに折り畳んでバイクの荷台に乗せたい場合は４つのスライドロック（７）を解除し本体ｃ（３）と連結材（４）を繋いでいるボルトナットをはずし最初は本体ａ（１）を本体ｂ（２）へ折り込むスタンド用フック（８）荷締め機用フック（９）の出は抜き穴（１１）によって障害なく閉じられる
【図面の簡単な説明】
【図１】本発明を使用している状態の斜視図である
【図２】本発明をコンパクトに折り畳んだ斜視図である
【図３】本発明と車等を繋ぐ連結材の斜視図である
【図４】本発明の平面図である
【図５】本発明の断面図である
【図６】本発明を折り畳み連結材をはずした処の断面図である
【符号の説明】
１  本体ａ    ２  本体ｂ    ３  本体ｃ    ４  連結材    ５  車輪    ６  蝶番
７  スライドロック    ８  スタンド用フック    ９  荷締め機用フック
１０ブレ止め    １１ヌキ穴    １２バンド荷締め機    １３バイク    １４車
【図１】
2005329919.tif 000003
【図２】
2005329919.tif 000004
【図３】
2005329919.tif 000005
【図４】
2005329919.tif 000006
【図５】
2005329919.tif 000007
【図６】
2005329919.tif 000008
(57)【要約】      （修正有）【課題】従来の枕には無い用途、効能を追求した。いつでも手軽に取り扱えて効果を実感できる肩凝り解消枕を提供する。【解決手段】枕の両側を高くして平面部と段差をつける。仰向けに寝て頭を枕の中央に置き、両腕を万歳の姿勢で其の侭、両腕の手の先が床につくように下ろす動作をしたとき、両肩付近の高低差をつけた枕の高い部分が両肩付近を下から押し上げる。【選択図】図１
2005329096.tif 000002
【特許請求の範囲】
【請求項１】
枕の両側を高くして平面部と段差をつける。
仰向けに寝て頭を枕の中央に置き、両腕を万歳の姿勢で其の侭、
両腕の手の先が床につくように下ろす動作をしたとき、
両肩付近の高低差をつけた枕の高い部分が両肩付近を下から押し上げる、
梃子の原理を応用したことを特徴とする健康枕。
【発明の詳細な説明】
【技術分野】
【０００１】
本発明は梃子の原理を応用した両肩部分の疲労軽減器具に
関する物である。
【背景技術】
【０００２】
就寝時等、休息をとるため横になったとき、その姿勢を楽にするための
道具が枕であるが、過去類似した製品が多数生産されているが
効果を実感できにくいまま今日に至っている。本発明品でその姿勢が
無理なくとれて  肩の疲労を短時間で解消するべき目的として
過去に例の無い使用方法を追求した。
【発明の開示】
【発明が解決しようとする課題】
【０００３】
解決しようとする問題点は、従来の健康器具はその為の特別な器具であり、
新たな時間を割き場所を確保してトレーニングメニューとして
取り組むのでなかなか長続きしない。    
【課題を解決するための手段】
【０００４】
本発明は、仰向けに寝て肩凝り解消器具に頭を乗せ軽い万歳の姿勢をとるだけで
よく、無理なく長期間使い続ける事ができる。
【発明の効果】
【０００５】
両肩の疲労部分の緊張を和らげ弛緩させ背骨を伸ばし姿勢を正すことを
容易に行える。
【発明を実施するための最良の形態】
【０００６】
使用するに当たり場所  準備  時間を新たに設ける必要が無い。
【実施例】
【０００７】
図  １は、本発明装置の実施例の平面図  断面図である。
【産業上の利用可能性】
【０００８】
容易に両肩の緊張を和らげ弛緩させることができる。
付加価値を付けた健康器具は多数あるが本発明は過去の製品に例の無い
形状  使用方法により健康器具の効果  用途  可能性を拡げた。
【図面の簡単な説明】
【０００９】
【図１】肩凝り解消枕  平面図  を  示した説明図である。                  肩凝り解消枕  断面図  Ａ方向  ↑を示した説明図である。                  肩凝り解消枕  断面図  Ｄ方向  ↑を示した説明図である。
【符号の説明】
【００１０】
記号  a   b  は枕の両側の最も高い部分を示す。
記号  →  d  e  は最も高い部分からの傾斜方向を示す。
記号  c  は鼻全体が納まる程度の適度な窪み。
記号  ‐‐‐‐‐‐  f    g  は傾斜方向の幅  境を示す。
記号  平面図  Ａ  Ｂ  Ｃ  Ｄ  は断面図位置を表す。
断面図 Aは  平面図Ａ方向  ↑  を表す。
断面図 Dは  平面図Ｄ方向  ←  を表す。
【図１】
2005329096.tif 000003
(57)【要約】【課題】本発明は主に手づかみで食べる食事（例えばカニ、殻付きエビ、スペアリブやトリなどの骨付き肉、あるいは果物やお菓子等）の際、水分油分等の汚れから指先を保護すると同時に、手づかみという行為でありながら、手元を品良く演出する目的の使い捨て指サックである。【解決手段】表面材に吸水性吸油性があり、加工性、風合いの良い安価な不織布、裏面材に水分油分を通さない合成樹脂の二重構造の素材からなる使い捨て指サックをつくる。【選択図】  図１
2005329025.tif 000002
【特許請求の範囲】
【請求項１】
裏面材に水分油分を通さない素材として合成樹脂を用い、表面材に吸水性及び吸油性を備えた不織布を施したことを特徴とする食卓用指サック。
【請求項２】
裏面材に水分油分を通さない素材として合成樹脂を用い、表面材に吸水性及び吸油性を備えた不織布を施し、且つ基部に圧縮凹部を形成したことを特徴とする食卓用指サック。
【発明の詳細な説明】
【技術分野】
【０００１】
本発明は食事の際スマートに食品を手づかみすることができる使い捨て指サックに関するものである。
【背景技術】
【０００２】
従来、一般にどうしても手を汚してしまう食事の際（例えばエビ、カニ料理や骨付き肉または果物やお菓子など）、紙ナプキンやおしぼりなどを用いて汚れを防ぐ、或いは拭い取るなどの手段がとられているが、それらはそれぞれ掴みにくい、汚れやニオイを落としきれないなどの難点がある。
【０００３】
そこで指サックの発想に至るが、これまではゴムや合成樹脂のものであり、これを食事に用いるとなると、食品にゴム臭が移ったり、吸水性吸油性がない為、表面がべたつきヌルヌルして滑りやすくなったり、汚れが付着している様子に不快感を感じ、見た目も食事風景にはそぐわない。
【０００４】
また、吸水性吸油性をもつ紙を素材にした指サックが、特許文献１、特許文献２に紹介されているが、食事に使用するとなると、使用しているうちに水分油分がしみこんできて指を汚してしまうし、濡れることによって破れやすくなる。また、柔軟性、加工性に乏しく指にフィットするような成形加工に不向きである。
【特許文献１】特開２００３−２３９１２１
【特許文献２】特開２００２−２０９９３３
【発明の開示】
【発明が解決しようとする課題】
【０００５】
解決しようとする問題点は食事中の手の汚れに関するさまざまな煩わしさである。
【０００６】
これまで食事中に手を使いたいが直接手で食品に触れたくないような場合には紙ナプキンなどを用いていたが、これは滑ったり、ゴワついたり、ものを掴むにも掴みにくく、また使用後に大量にかさばる様子も見苦しいものである（課題１）。
【０００７】
そして手が汚れた場合に用いるおしぼりにしても、油分が多い汚れに関しては落としきれぬ感が残り、また拭いてもとれないニオイが残ることも多い（課題２）。
【０００８】
また食事における雰囲気に関して、手づかみというと印象のなんとなく粗野な感じのする点（課題３）
[課題を解決するための手段]
【０００９】
本発明は食事に使用する指を、表面材に、吸水性吸油性を備え、濡れても強度を保ち、加工性に富み且つ風合いの良い不織布を用い、裏面材に、水分油分を通さない合成樹脂を用いるという二重構造の素材で第二関節くらいまでを覆う指サックをもってこれらの課題を解決しようとするものである。
【００１０】
つまり、課題１に関して本発明は、ガサばらず指にフィットする指サックの形状をもってこの問題を解決しようとするものである。
【００１１】
また、課題２に関して本発明は、裏面材に水分油分を通さない合成樹脂素材を用いることにより根本的に手を汚さないことで解決しようとするものである。
【００１２】
また、課題３に関して本発明は、表面材に吸水性吸油性を備え且つ強度、加工性に富み風合いの良い不織布を用いることにより、表面のべたつきなどを解消し、また、指にフィットする動きの自由さ、デザインの自由（形状加工、着色などが容易）を得、スマートにおしゃれをする感覚で楽しさを演出し解決しようとするものである。
【発明の効果】
【００１３】
本発明により、指サックの表面材に吸水性及び吸油性を備えた不織布を施したので表面がべたついたりヌルヌルすることがなく食品にゴム臭も移らない。裏面材に水分油分を通さない合成樹脂を用いたので油等が浸透して指を汚すことがない。よって、手づかみ料理を食べる際の手の汚れにともなう煩わしさから開放され、見た目のなんとなく粗野になりがちなのをスマートに演出できる。
また、基部に圧縮凹部を形成したので指にフィットして使用中に脱落することがない。
【００１４】
紙ナプキンやティッシュペーパーなどの大量消費を省き、ゴミの減量にも効果的である。
【００１５】
使用は食事に限定されるものではなく、ちょっとした汚れ物をつかむときなど、個々のニーズに合わせ使用可能である。
【発明を実施するための最良の形態】
【００１６】
図１,２,３にしめすように、形状は指先から第二関節くらいまでを包み込む指サックであり、素材は表面材に強度と吸水性吸油性があり、加工性に富み見た目の風合いも良く安価な不織布を、裏面材に水分油分を通さない合成樹脂を組み合わせた二重構造をもたせ成形加工する。使用には装飾的意味も含まれるためデザイン性をもたせる。熱溶着等で凹部を形成する。基部で指にフィットさせて脱落を防ぐ。
【産業上の利用可能性】
【００１７】
家庭内での使用はもちろん、アウトドアシーン(移動中の車内や屋外で)、また外食産業の分野でおしぼりやナプキンに代る新しい卓上品として広く活用が期待できる。
【図面の簡単な説明】
【００１８】
【図１】側面図
【図２】本発明の構造を示す断面図
【図３】実施方法の説明図
【符号の説明】
【００１９】
１  二重構造の表面材部（不織布）
２  二重構造の裏面材部（合成樹脂）
３  圧縮凹部
【図１】
2005329025.tif 000003
【図２】
2005329025.tif 000004
【図３】
2005329025.tif 000005
(57)【要約】【課題】  術前、術中、術後と点滴の使い捨て注射針による誤刺からの細菌及びウィルス感染の予防と生産コスト【解決手段】  樹脂で形成された使い捨て注射針の容器ＡとＢに収容されている注射針本体Ｃを注射筒に装着する時と術中術後のリキャップの時に誤刺を引き起こす危険性が高い。その主な原因は、容器の縁を明確に把握できない事であった。そこで容器の縁に着色を行い、容器の内と外を区別し易いようにした。色は使用する場所ではっきりと識別できるものを採用するべきである。又使い捨ての注射針であるので、コストを低く抑える必要がある。今回の発明は今までの生産ラインに１工程増えるだけであり大掛かりな変更が無いところも重要である。【選択図】図１
2005329050.tif 000002
【特許請求の範囲】
【請求項１】
樹脂で形成した片方を閉じた筒状容器の開口部の縁に確認用の着色環を有する使い捨て注射針用キャップ
【請求項２】
請求項１記載の使い捨て注射針用キャップを用いた誤刺防止方法
【発明の詳細な説明】
【技術分野】
【０００１】
本発明は、使い捨て注射針のキャップの縁の確認を容易にして、注射針の誤刺を防ぐものである。
【背景技術】
【０００２】
術後の注射針の誤刺を防ぐ目的のキャップの形態や装置及び器具は存在するが、色に着目するものが無い。又キャップは注射針本体を収納する１対の樹脂で形成された容器から構成されるが、針先は身体内に刺入する側と麻酔薬容器側とに有るにもかかわらず、容器を立てておく装置はその両方を置けるものが無い。
【発明の開示】
【発明が解決しようとする課題】
【０００３】
使用済み注射針を廃棄する際の誤刺による感染予防とその方策を実現する為の製造過程の簡素化並びにコストの低減。
【発明の効果】
【０００４】
誤刺はキャップの縁を正確に視認し難い事が主たる原因であり、又処置を行う場所は他の器具類を多数置いておく事が多いので出来る限り場所を取らずに、素早くリキャップする必要がある。収容する容器の形態の変更は製造コストの増加と流通等の梱包も変更を余儀なくされる。本件は今現在使用されている容器を使っての発明であるので特別の場所を取らない。注射筒にも容器に収容する時も確認が容易であり又既存の生産ラインや金型の変更などという大掛かりな改造が必要で無く、生産コストを低くできる。  流通の変更も無い。それに加えキャップを定位置に置くことで紛失の心配も無く、術中、術後のリキャップがスムーズに行える。この場合注射筒に針先がセットされたままでリキャップを行えるので、針先に指が近づく事も無く、安全である。  
【課題を解決するための手段】
【０００５】
針を使用後リキャップする場合に、キャップの縁の輪郭をはっきりと識別可能にする事が重要である。概ね３原色が実験の結果良好な成果を得た。しかし派手な色彩であっても周りと調和していては目立たない。そこで背景を考慮した色の採用が必要となる。容器を立てておく板は感染予防と長期使用を可能とするようにステンレス、チタン等の金属及び滅菌可能な樹脂とした。
【発明を実施するための最良の形態】
【０００６】
注射針を収容している容器の縁の着色を行い、かつ注射針使用中の容器の保管場所を確保して、リキャップを容易な作業にする。
【実施例】
【０００７】
図１は、使い捨て型の注射針の断面図である。注射針Ｃは樹脂で形成された容器ＡとＢの中にありＣのみが注射筒に装着される。使用後Ａに戻されるが、Ｒの部分が今まではっきりした輪郭を呈していなかった。使用者が明確に認識できる色を付けた。又ＡとＢを立てておく金属板を使用すると術者も介護者も容器の位置を確認でき、よりスムーズにリキャップできキャップの紛失も無い。
【０００８】
図３の実施例は、金属板にＡとＢを立てた状態である。
【図面の簡単な説明】
【０００９】
【図１】図１は、注射針が滅菌されて収納容器に格納されている状態。
【図２】図２は、容器Ａの着色環。
【図３】図３は、金属板に立てた状態。
【符号の説明】
【００１０】
Ａ      容器 （突部）
Ｂ      容器 （凹部）
Ｃ      注射針
Ｄ      着色環もしくは帯
【図１】
2005329050.tif 000003
【図２】
2005329050.tif 000004
【図３】
2005329050.tif 000005
(57)【要約】【課題】長期間使用しても嵌合突起と嵌合溝からなる嵌合機構が破壊せず、尾栓が脱落することのないクリップ付尾栓を提供する。  【解決手段】筆記具のキャップ本体や軸筒の尾端に嵌着される尾栓部にクリップが一体に成形された合成樹脂製のクリップ付尾栓において、キャップ本体３や軸筒の尾端にこれを覆うように嵌着される尾栓部１の合口側内面に嵌合突起１１ないし嵌合溝を形成してキャップ本体や軸筒の外周面に形成された嵌合溝３１ないし嵌合突起と係合するとともに、尾栓部の底面に突起１２を形成し、この突起をキャップ本体や軸筒の尾端面に形成された凹部３２に嵌合する。【選択図】  図１
2005329576.tif 000002
【特許請求の範囲】
【請求項１】
筆記具のキャップ本体や軸筒の尾端に嵌着される尾栓部にクリップが一体に成形された合成樹脂製のクリップ付尾栓において、
キャップ本体や軸筒の尾端にこれを覆うように嵌着される尾栓部の合口側内面に嵌合突起ないし嵌合溝が形成されてキャップ本体や軸筒の外周面に形成された嵌合溝ないし嵌合突起と係合するとともに、尾栓部の底面に突起が形成され、この突起がキャップ本体や軸筒の尾端面に形成された凹部に嵌合することを特徴とする筆記具のクリップ付尾栓。
【発明の詳細な説明】
【技術分野】
【０００１】
本発明は、筆記具のキャップ本体や軸筒の尾端に嵌着される合成樹脂製のクリップ付尾栓に関するものである。
【背景技術】
【０００２】
筆記具のキャップ本体や軸筒の尾端には、これらの尾端開口を閉塞するためやデザイン上の理由などから尾栓が嵌着されることが多い。また、この合成樹脂製の尾栓にクリップを一体に成形することが多い。かかる合成樹脂で成形されたクリップ付の尾栓は、有底筒状の尾栓部の合口側内面に嵌合突起ないし嵌合溝が形成され、この嵌合突起ないし嵌合溝をキャップ本体や軸筒の外周面に形成された嵌合溝ないし嵌合突起と係合させてキャップ本体や軸筒の尾端を覆うようにして嵌着されることが一般的である。
【発明の開示】
【発明が解決しようとする課題】
【０００３】
合成樹脂製の尾栓を嵌合突起と嵌合溝からなる嵌合機構で筆記具のキャップ本体や軸筒の尾端に押し込むように嵌着するとき、嵌合突起と嵌合溝の高さと深さを大きくすると嵌着が困難になるので、嵌合突起と嵌合溝の高さと深さは小さいものとなる。つまり、弱い嵌合力で嵌着される。
【０００４】
この尾栓部にクリップが一体に成形されていると、洋服のポケットに筆記具を差し込むときにクリップの先端部が持ち上がる。また、洋服のポケットに筆記具を差し込むときに限らず、手に持った筆記具のクリップの先端部を指先で無意識で持ち上げることがある。そして、クリップの先端部が持ち上がると、尾栓を反クリップ側に回動する力が働く。つまり、クリップ側の嵌合突起が嵌合溝から抜け出す力が働く。そして、長期間使用していると、この繰り返し応力により、弱い嵌合力で嵌合された嵌合機構が破壊して尾栓が脱落してしまうことがある。そこで本発明は、長期間使用しても嵌合突起と嵌合溝からなる嵌合機構が破壊せず、尾栓が脱落することのないクリップ付尾栓を提供することを目的とする。  
【課題を解決するための手段】
【０００５】
かかる目的を達成するために、本発明は、筆記具のキャップ本体や軸筒の尾端に嵌着される尾栓部にクリップが一体に成形された合成樹脂製のクリップ付尾栓において、キャップ本体や軸筒の尾端にこれを覆うように嵌着される尾栓部の合口側内面に嵌合突起ないし嵌合溝を形成してキャップ本体や軸筒の外周面に形成された嵌合溝ないし嵌合突起と係合するとともに、尾栓部の底面に突起を形成し、この突起をキャップ本体や軸筒の尾端面に形成された凹部に嵌合する。
【発明の効果】
【０００６】
尾栓部の底面に突起を形成してこの突起をキャップ本体や軸筒の尾端面に形成された凹部に嵌合するので、クリップが持ち上がったときに働く尾栓を回動させる力は、凹部に嵌合した突起により受け止められる。したがって、クリップ側の嵌合突起が嵌合溝から抜け出す力がほとんど働かず、長期間使用しても嵌合突起と嵌合溝からなる嵌合機構が破壊せず、尾栓が脱落することがない。
【発明を実施するための最良の形態】
【０００７】
図１はマーカーのキャップに本発明の実施例を適用した例を示す。マーカーは、軸筒９１の先端開口の先口９２が嵌着されており、軸筒９１内には、極細繊維を引き揃えて棒状に成形したインキ吸蔵体９３が収容されている。そして、例えば内部に連続気泡を有するプラスチックからなる棒状のペン体９４の尾端部がインキ吸蔵体９３に差し込まれるとともにペン体９４の先端部が先口９２の先端開口から突出しており、インキ吸蔵体９３に吸蔵されたインキがペン体９４に供給されて筆記可能になる。
【０００８】
不使用時に先口９２に嵌着されるキャップ本体３は合成樹脂で成形された略有底筒状体であり、尾端側の小径部３３の外周面に嵌合溝３１が形成されている。また、底面３４には凹部３２が形成されている。一方、同じく合成樹脂で成形された尾栓部１にクリップ２が一体に成形されている。尾栓部１は、その合口側の内周面に係合突起１１が形成されており、その頂部内面に棒状の突起１２が形成されている。そして、キャップ本体３の小径部３３に尾栓部１を被せるようにして嵌着すると係合突起１１と嵌合溝３１が係合するとともに突起１２が凹部３２に嵌合されて組立が完了する。なお、小径部３３に嵌合突起を形成し、尾栓部１の合口側の内周面に嵌合溝を形成してもよい。また、尾栓部１は、軸筒の尾端部に嵌着するものであってもよい。
【０００９】
しかして、この筆記具を洋服のポケットに差し込むなどするとクリップ２の先端部が持ち上がり、尾栓部１には、尾栓部１の反クリップ側の端部とキャップ本体３の接点Ａを中心にして図１において反時計回りに回動するトルクが働く。しかし、突起１２が凹部３２に嵌合されているので、尾栓部１はほとんど回動しない。したがって、クリップ２側の嵌合突起１１が嵌合溝３１から抜け出す力はほとんど働かず、長期間使用しても、嵌合突起１１と嵌合溝３１からなる嵌合機構は破壊されず、尾栓部１が脱落することがない。
【図面の簡単な説明】
【００１０】
【図１】本発明実施例の断面図である。
【符号の説明】
【００１１】
１    尾栓部
１１    嵌合突起
１２    突起
２    クリップ
３    キャップ本体
３１    嵌合溝
３２    凹部
３３    小径部
３４    底面
９１    軸筒
９２    先口
９３    インキ吸蔵体
９４    ペン体
【図１】
2005329576.tif 000003
(57)【要約】      （修正有）【課題】排出される煙中の固体、液体成分を、直接機械的に分離除去できないか。例えば煙を回転体の中に取り込んで遠心力で分離除去できないか。又ブラシの効果を増加させることができないか。【解決手段】排煙を容器内に取り込んで、高速回転するブラシで巻き込んで、ブラシの部分に煙の中の固体、液体成分の粒を付着又は飛散させて分離除去する。又は容器内にブラシ又は羽根のついた回転体の中に排煙を取り込んで高速回転させ、遠心力で固体、液体成分を分離除去する。  ブラシはワイヤーばかりでなく加工した羽根をワイヤーと平行して植込んでいく。【選択図】図−３
2005329395.tif 000002
【特許請求の範囲】
【請求項１】
排出される煙の固体及び液体成分を、高速で回転する金属製ブラシに付着させたり、あるいはブラシで飛散させたりして分離除去する消煙装置。
【請求項２】
金属製のブラシ（３）の中に、加工した羽根（１２）を平行して植え込むことにより、排煙を取り込む能力を増大、又は調節できうる。羽根はその形状、面積、取付け方向、取付け密度により、能力を変化させることができる。
【発明の詳細な説明】
【技術分野】
【０００１】  この発明は煙の固体及び液体成分を高速で回転する金属ブラシで分離除去する消煙装置に関するものである。
〔背景技術〕【０００２】  従来の消煙装置としては、発生する煙を再燃焼させる方法があるが、再燃焼装置が新めて必要であり、燃料等も必要であり維持管理にもコストを要する。又、活性炭やフイルターを通過させる方法で煙を除去する方法もあるが、リサイクルが難しい場合もある。又、煙の成分を吸収する薬品中を通す場合もあるがこれもリサイクルが難しく維持管理に費用がかかる。排煙中の液分を除去回収する方法及び装置。（例えば、特許文献１参照。）。ジーゼル排気ガス、水、合成洗剤を混ぜて浄化する装置。（例えば、特許文献２、参照。）。
〔特許文献１〕特開平０８−２４３３３１号  公報
〔特許文献２〕特開２００１−３１４７２１号  公報
〔発明の開示〕
〔発明が解決しようとする課題〕【０００３】  排出される煙を消す、つまり煙中の固体、液体等の成分を、直接機械的に分離除去できないか。例えば、煙を回転体の中に取り込んで遠心力で分離除去ができないか。
〔課題を解決するための手段〕【０００４】  排煙を容器内に取り込んで、高速回転するブラシで巻き込んで、ブラシの部分に煙の中の固体、液体成分の粒を付着又は飛散させ分離除去する。（図−１、２）又容器内にブラシ又は羽根のついた回転体の中に排煙を取り込んで、高速回転させ、遠心力で固体、液体成分を分離除去する。（図−３）。【０００５】  ワイヤーブラシの中にワイヤーと平行して、加工した羽根を植付けていく。（図−４）煙をかき込む量を増大させ又かき込む量を調節するために、羽根の形状、面積、取付方向、取付密度等を変化させることで可能になる。
〔発明の効果〕【０００６】  図−１、２の装置において、流入口（１０）より入る煙の量に比べ排出口（７）から出る量は少ない。又すすはブラシ（３）のワイヤー部分や外容器（１）のブラシ付近の内壁面に多量付着している。又外容器（１）の下部に液体成分の溜りが見られる。ブラシ（３）部分のワイヤーの太さ、形状においても効果の変化が認められる。【０００７】  図−３の装置においても同様に、すすはブラシ（又は羽根）（３）の部分、回転容器（２）の内壁面に付着が見られ、他の部分にも多少の付着はある。又液体成分は外容器（１）下部に溜りが見られる。【０００８】  図−４に示すように、ブラシの中のワイヤー中に加工した羽根を加えることにより、排煙のかき込み量が変ったり、又羽根の形状、面積、取付方向、取付密度を変えることにより効果を増大又は調節することができうる。
〔発明を実施するための最良の形態〕【０００９】  以下、本発明の実施の形態について説明する。
（イ）図−１において、煙の流入口（１０）から入った煙は容器内の図−２の回転する金属ブラシ（３）で煙の中の固体、液体成分の粒がブラシに付着又は飛散させられ、ブラシ及び容器の壁面に付着し、さらに下部に溜っていく。溜った液体成分はバルブ（８）より排出される。又残った煙は排出口（７）から排出されるが、外部に出すか又は元の系に戻してもよい。ブラシは高速回転に耐えられる太さを有する軸に取付けられる必要があり、耐熱、耐食性、耐久性を考慮した材料が望しい。ブラシの部分は余り太くないワイヤーで、縮み加工を加えて使用することにより、分離能力を増大させることができる。又回転体の軸受部分（４）は寿命を考慮し煙の直接の影響を受けないようにする必要がある。本装置のメンテナンスがやりやすい構造にするため、外容器（１）の一部が開閉又は分離可能にし、ブラシ（３）等も取りはずし可能にし、交換できるようにもする。【００１０】（ロ）図−３の流入口（１０）から入った煙は、回転軸にブラシ（又は羽根）のついた回転容器（２）を高速回転することにより、煙の中の固体と液体成分の粒を遠心分離作用で分離除去していく。煙の成分は穴のあいた壁面を有する回転容器（２）の内壁面に当り、さらに液体成分は穴のあいた壁面から外容器（１）の内壁面に当って下部へ落ちていく。下部に敷いたスクリーン（９）を経て容器下部に溜りバルブ（８）より排出される。又残った煙は排出口（７）より外部へ排出するか元の系に戻す。装置全体をメンテナンス可能な構造にし、管理しやすくする。【００１１】（ハ）排煙の発生する一般の焼却炉、炭化炉の消煙処理をはじめ、車輌等の排気の消煙処理、換気扇等を通過する排煙を図−１、図−３の装置に取り込んで処理する方法もできうる。【００１２】（ニ）図−４に示したように、ブラシの部分において、ワイヤーと平行して、加工した羽根を植え込んでいくことにより、煙をとり込む量を増大させ、又その羽根の形状、面積、取付方向、取付密度などを変化させることによりとり込む煙の量を調節できうる。
【図面の簡単な説明】
【００１３】〔図−１〕  本発明の回転ブラシによる消煙装置の斜視図
〔図−２〕  本発明の回転ブラシによる消煙装置の要部断面図
〔図−３〕  本発明の回転容器による消煙装置の断面図
〔図−４〕  本発明のブラシ部分のワイヤーと加工した羽根の植込図
【付号の説明】
【００１４】１、外容器                      １１、プーリー
２、回転容器                    １２、加工した羽根
３、ブラシ（又は羽根）          １３、軸に巻く台金
４、軸受                        １４、ワイヤー
５、軸
６、モーター
７、排出口
８、バルブ
９、スクリーン
１０、流入口
【図−１】
2005329395.tif 000003
【図−２】
2005329395.tif 000004
【図−３】
2005329395.tif 000005
【図−４】
2005329395.tif 000006
(57)【要約】【課題】  この発明は、送風用の回転翼に多数の小穴を設け、ここに通過させる気液の接触効率を上げると共に、気体側に送風機能を持たせる装置に関するものである。【解決の手段】  外筒（６）に中心部に穴の明いた上部仕切板（２）を取付けその下に回転主軸（１）に回転円板（４）及び多数の小穴のあいた回転翼（５）を取付ける。更にその下に外筒（６）に外周部に穴のあいた下部仕切板（３）を取付ける。【特許請求の範囲】
【請求項１】
（イ）外筒（６）に中心部に穴の明いた上部仕切り板（２）を取付ける。
（ロ）回転主軸（１）に回転円板（４）及び回転円板（４）に固定された回転翼（５）を取付ける。
（ハ）回転翼（５）に直径１〜１０ｍｍφ開口率１０〜６０％となる様に多数の子穴を設ける。
（ニ）外筒（６）に円周外部に穴の明いた下部仕切板（３）を取付ける。
以上の様に構成された。送風機能を持つ気液接触装置
【請求項２】
回転翼（５）にフチ取りをした金網、１０〜１００メッシュを取付けた送風機能を持つ気液接触装置
【発明の詳細な説明】
【発明の詳細な説明】
【技術分野】
【０００１】  この発明は、送風用の回転翼に多数の小穴を設け、ここに通過させる気液の接触効率を上げると共に、気体側に送風機能を持たせる装置に関するものである。
【背景技術】
【０００２】  従来の気液接触装置の多くは塔内にラヒシリング等を充填し、その表面を液体が流れる様にして、液体の表面積を増やしここへ送風機等により気体を流す。即ち気液の接触面積を増大する工夫がなされて来た。しかし、充填塔を気体が通る祭、気液接触効率の増大を計る為、充填物を細かくするとその分気体側に通気抵抗が増大する。
この通気抵抗を軽減する為、充填塔断面積を増大する。
結果として装置が大きくなると同時に装置費用が増すと言う欠点が有った。
【発明が解決しようとする課題】
【０００３】  本案は上記欠点を補い、気液接触効率の良い気体側に送風機能を持つ気液接触装置の開発を行おうとするものである。
【課題を解決するための手段】
【０００４】  その解決手段を図面を追いながら説明すれば
（イ）外筒（６）に中心部に気体・液体入口用の穴の明いた上部仕切板（２）を取付ける。
（ロ）回転主軸（１）に回転円板（４）及び多数の小穴の明いた回転翼（５）を固定取付ける。
（ハ）外筒（６）に外周部に気体・液体出口用の穴の明いた下部仕切板（３）を取付ける。
以上の様に構成された送風機能を持つ気液接触装置である。
【発明を実施するための最良の形態】
【０００５】    本説明の実施の形態を述べると、本装置に送りこまれた空気（気体）は外筒（６）に取付けた上部仕切板（２）の中心部に設けられた開口部より下方へ進入する。
次いで、回転する回転主軸（１）に取付けた回転円板（４）及び回転翼（５）によって送り込まれた空気は円周方向外部へ押し出される。
円周方向外部へ押出された空気は外筒（６）に取付けられた下部仕切板（３）の外周部に設けられた開口部より下方へ押出される。
即ち通常で言う所の送風機としての動きをする事になる。
ここで同様に、本装置に送り込まれた水は、上部仕切板（２）の上面をつたい、回転主軸（１）に取付けられた回転円板（４）及び回転翼（５）へと落下する。落下した水は回転翼（５）と回転翼（５）に設けられた多数の小穴によって霧化飛散し液表面積を増やし空気と効率良く接触しながら下部仕切板（３）の外周部開口から下方へ押し出される。
以下、空気の送風機能及び気液接触効率等、必要に応じて回転主軸の回転数及び要部の段数を増して行く事で目的の効率を得る事が出来る。
尚、回転翼に設ける多数の小穴の変わりに、回転翼にふち取りをした金網を取付ける事によっても、同様の効果が得られる。
次に本発明の実際の実施例を図４に参考に示しておく。
本図の場合、段数は３段である。
【発明の効果】
【０００６】  本装置はこの様に構成された事により
（イ）本装置に通す気体側に送風機能を付加し（圧力損失の無い）かつ
（ロ）回転翼（５）に設けた多数の小穴と翼の回転力により本装置に通す気体と同時に送り込む液が霧化・飛散し、気液接触効率が増す。
（ハ）結果として設備容積、設置面積が少なくなる。
【図面の簡単な説明】
【図１】本発明の実施形態の要部を示す説明図
【図２】本発明の回転板及び回転翼の平面図
【図３】本発明の回転翼の他の実施例を示す説明図
【図４】本発明の実際の実施例を示す説明図
【図１】
2005329389.tif 000002
【図２】
2005329389.tif 000003
【図３】
2005329389.tif 000004
【図４】
2005329389.tif 000005
(57)【要約】      （修正有）【課題】流体容器に簡単に装着結合が可能な携帯式の流体磁気活性器を提供する。【解決手段】流体容器８のキヤップ７を開口して除去したあとの露出した凸ネジ３を利用して、流体容器８と同物質で構成され、複数の永久磁石２ａ、２ｂを配列した流体磁気活性器１００を、その内部に設けた凹ネジ４で巻込み脱着可能に結合して、流体容器８と流体磁気活性器１００を一体化させる。【選択図】  図１
2005329386.tif 000002
【特許請求の範囲】
【請求項１】
磁気によって流体の活性化を計る磁気活性器は、流体容器と同じ物質より成る本体と、この本体に複数の永久磁石を交番磁界が形成されるように配列して取付け設置されたものである。
前記本体と流体容器との結合は流体容器の注口部のネジキヤップを開口し除去したあとの露出した凸ネジに、流体磁気活性器の本体下部に設けた凹ネジを巻込み一体化し、凹ネジ、凸ネジで脱着を可能とした。
前記複数の永久磁石は、本体凹ネジの上部周囲に取付け配置する。流体容器と流体磁気活性器が一体化されることを特徴とする流体磁気活性器。
【請求項２】
永久磁石の配列は同極磁石２個を１対として左右に異なる極性をもつ１対を配置することを特徴とする請求項１の流体磁気活性器。
【請求項３】
流体容器と同じ物質のバンド式カバ−を設け、永久磁石は前記バンド式カバ−で本体外側から保持されることを特徴とする請求項１及び請求項２の流体磁気活性器。
【請求項４】
永久磁石の配列を流体の性状により、Ｎ極とＳ極を交互に配置することを特徴とする請求項１及び請求項３の流体磁気活性器。
【請求項５】
流体容器、特に合成樹脂を素材とする容器を主体として使用する商品を販売するために必要な商品の容器に複数の永久磁石を取付け配置して、商品容器自体を磁気活性器とする流体磁気活性器。
【発明の詳細な説明】
【技術分野】
【０００１】本発明は、永久磁石の磁力を応用して流体の活性化を計る流体磁気活性器に関するものである。
「背景技術」【０００２】流体に磁界を与えると、いろいろな生物学的変化をもたらすことは知られています。この現象は流体がある速度で磁界を通過するとき流体分子の磁気モ−メントと、磁界との相互作用によって流体分子が励起され、不安定な活性状態をつくりだすといわれる「ＭＨＤ理論」による固定式の磁気活性化装置はある。
「発明の開示」
「発明が解決しようとする課題」【０００３】そのために次のような問題点があった。
（イ）固定式であるので水道管以外の使用には適さなかった。
（ロ）ペットボトル、ビン等の容器に入っている、飲料水、ジュ−ス醤油、酒等の活性化は従来の磁気活性化装置では取付けが困難であるためできなかった。アウトドア生活の多い現代社会には持運びのできる携帯用の流体磁気活性器の開発が必要である。
本発明はこれらの問題点を解決するためになされたものである。
「課題を解決するための手段」【０００４】本発明の請求項１の流体磁気活性器は磁気・磁力によって流体の活性化を計るものであって、流体容器と同じ物質で流体磁気活性器は構成され流体容器との結合は、流体容器注口部の凸ネジと流体磁気活性器本体下部に設けた凹ネジで巻込み結合して一体化させる。
永久磁石は流体磁気活性器本体下部に設けた凹ネジの上部周囲に取付け配置する。【０００５】請求項２の流体磁気活性器は、上記の永久磁石を同極磁石２個を１対として、左右に異なる極性をもつ１対を配置したものである。【０００６】請求項３の流体磁気活性器は、流体容器と同じ物質のバンド式カバ−を設け、請求項１及び請求項２においての流体磁気活性器の永久磁石をバンド式カバ−で本体外側より保持されるものである。
「発明の効果」【０００７】請求項１・請求項２・請求項３で詳述しましたごとく本発明の流体磁気活性器は、流体容器のキヤップを開口して除去したあとの露出した凸ネジを利用して流体磁気活性器の本体下部の凹ネジで結合させて使用するのであります、流体磁気活性器本体の凹ネジ上部の周囲には複数の永久磁石を取付け配置していますので流体容器の注口部に磁界が形成されることになります。【０００８】小型で軽いので携帯に便利であり、流体容器の注口部を通過する流体は活性化されて、生きた流体となり、臭いがなくなり保健上きわめて良好であります。【０００９】本発明の流体磁気活性器の脱着は流体容器のキヤップを締め込む凸ネジを利用しているので、合成樹脂製の容器（ペットボトル含む）、ビン等のキヤップ栓の凸ネジは規格品なので凸ネジを使用している流体容器には、合成樹脂製の容器・ビン等を問わず使用可能なので汎用性に優れ利用価値が向上する。【００１０】本発明の請求項２の永久磁石の配列は同極磁石２個を１対としてその左右に異極の１対を配置するので偶力が形成されて磁気モ−メント値も高くなり、並ぶＮ極・Ｓ極により交番磁界も形成されるので流体容器の注口部を通過する流体の活性化は一段と向上する。【００１１】流体容器の製造工程の中で本発明の流体磁気活性器は製作できるので、製造コストは低減可能であります。
「発明を実施するための最良の形態」【００１２】  以下、本発明の実施の形態について説明する。
図１は本発明の流体磁気活性器１００を取付けた容器８との斜視図、図２は流体磁気活性器１００よりキヤップ７をはずした複数の永久磁石を配置した流体磁気活性器の注口部６の斜視図。
図３は流体磁気活性器１００のキヤップ７の斜視図。
図４は流体磁気活性器１００に配置した永久磁石の配置図５の平面図。
図５は流体容器８の斜視図。【００１３】流体磁気活性器１００は流体容器８内にある流体を活性化させて流体の改質・改善を行なうものなので本発明は流体磁気活性器１００に内設した凹ネジで活性化させる流体の入っている流体容器の凸ネジにねじ込み結合して、キヤップ７を開口して注口部６に流体を通過させることにより流体の活性化を計ることができる。
【図面の簡単な説明】
【００１４】「図１」  本発明を容器に結合した斜視図
「図２」  本発明のキヤップを除去した注口部の斜視図
「図３」  本発明のキヤップの斜視図
「図４」  本発明の永久磁石の配置図の平面図
「図５」  本発明を結合する凸ネジを設けた流体容器の斜視図
【符号の説明】
【００１５】  １００  流体磁気活性器
２  永久磁石    ａ同極の１対    ｂ同極の１対ａ・ｂは異極
３  凸ネジ
４  凹ネジ
５  リング式カバ−
６  注口部
７  キヤップ
８  流体容器
【図１】
2005329386.tif 000003
【図４】
2005329386.tif 000004
【図２】
2005329386.tif 000005
【図３】
2005329386.tif 000006
【図５】
2005329386.tif 000007